(57)【要約】【課題】キセノンランプをユニット本体に内蔵し、物を視認しやすい性質を有するキセノンランプの光を分岐して照射するライトヘッド部のみを患者の顔面上に位置させる。【解決手段】光源のキセノンランプ１６を備えた光源部３をユニット本体１に内蔵する。キセノンランプ１６の光をファイバーケーブル２３を介して３分岐し、ライトポール５、第１アーム６および第２アーム１０により水平方向および垂直方向に移動静止可能なライトヘッド４に導光し、このライトヘッド４の３カ所の光出射部から光を出射して治療部位に照射する。【選択図】図１
2005192860.tif 000002
【特許請求の範囲】
【請求項１】
光源のキセノンランプを備えた光源部と、この光源部を内蔵するユニット本体と、前記光源部からの照射光をライトヘッド部に導光する光ファイバー部と、この光ファイバー部を介して導光された、前記光源部からの照射光を少なくとも３分割しつつ照射部位を照射することができるようにしたライトヘッド部と、このライトヘッド部を水平方向および垂直方向に移動静止可能な支持部を備えたことを特徴とする歯科用ユニット。
【発明の詳細な説明】
【技術分野】
【０００１】
本発明は、歯科において診療、治療する歯科用ユニットに関する。
【背景技術】
【０００２】
従来、歯科用ユニットには、一般に光源としてハロゲン球（ハロゲンランプ）が用いられており、図１０に示すように、ハロゲン球４１の後方に長方形の反射ミラー４２を設けるとともに、ハロゲン球４１の前方にハロゲン球４１から光線が直接患者に照射されないように光を遮る遮蔽板４３が設置されて、歯科用ユニットのライト部４４が構成されている。すなわち、ハロゲン球４１からの光を反射ミラー４２で前方に反射させる方式が採られ、治療椅子に寝かせた患者に対して反射ミラー４２の反射光による長方形の照射野を形成して臼歯部がよく見えるようにしている（例えば、特許文献１）。前記ライト部４４は、ライトポール４５、第１アーム４６および第２アーム４７を用いて歯科用ユニットに装備されている。
【特許文献１】特開２００３−１３５４９３号公報（段落番号０００９）
【発明の開示】
【発明が解決しようとする課題】
【０００３】
しかしながら、近年において歯科医の治療時には、歯科治療椅子に患者を仰向けに寝かせるとともに術者（歯科医等）が椅子に座る座位診療となっているため、ハロゲン球４１の光を反射ミラー４２で反射させて前方に照射させる方式であると、ハロゲン球４１を患者の顔面上に位置させることとなる。そのため、患者の治療中にハロゲン球４１が破損すると、患者に大怪我をさせることになるため、ハロゲン球４１を覆うカバーを設置する必要が生じる。また、ハロゲン球４１から直射光を患者に照射させないように、ハロゲン球４１の前方で反射ミラー４２の中心部に遮蔽板４３を配置してあるので、図１１に示すように、患者に照射される光は反射ミラー４２の上下からの２方向の反射光による照射になり、口唇で袋状になっている患者の口腔内臼歯部へは２０％位しか光が入らない問題がある。さらに、無影効果は図１１に示す照射光のピッチｐを大きくすることにより大となるが、ピッチｐを大きくするには反射板４２を大きくしなければならず、図１２に示すように、反射板４２は小さいものでも横１２ｃｍ位、縦２０ｃｍ位、厚さ６〜７ｍｍで重いものであり、これより反射板４２を更に大きくすると重量も大となり、歯科用ユニットのライト部４４が大型化するとともに設置スペースも広範となるばかりか、前記カバーを設けることで更にライト部４４が重くなり、ライト部４４の操作性や、ライト部４４を支えるライトポール４５、第１アーム４６および第２アーム４７に大きな負担がかかりユニットの強度上の問題が生じる。
【０００４】
また、ハロゲン球４１は、ガラス球の中に封入された臭素ガス中にてフィラメントが加熱されることにより発光するものであり、この光は黄赤色であるため、特に最近では審美歯科として患者に白い歯を提供する場合があるが、ハロゲン球４１の黄赤の光では歯が白く見えない問題もある。
【０００５】
一方、ハロゲン球４１を患者の顔面上に位置させないようにするため、ハロゲン球４１を他所に配置し、このハロゲン球４１からの光を光ファイバーで導入して患者に照射することもできるが、ハロゲン球４１の光では長い光ファイバーを使用すると、患者に照射する光が暗くなる問題があった。
【０００６】
また、歯科用ユニットに手術灯（治療用ライト）を装備せずに、手術灯を天井に装備して歯科用ユニットとは無関係の診療室もあるが、天井に大きな物体が取り付けられることは患者に不安感をもたせることとなる問題があった。
【０００７】
よって、本発明は、前記従来の問題点に鑑みてなされたものであり、物を視認しやすい波長域の広い性質を有するキセノンランプを光源とし、キセノンランプを患者の顔面上に位置させることなく、キセノンランプの光を光ファイバーを介して必要な位置に導光するとともに、それぞれの光出射部から出射する照射野を重合させて、歯科治療等の治療に必要な縦横の幅員による照射野を備える無影効果が得られる照射が可能で、しかも患者に対する安全性や軽量化して操作性を向上させたヘッドライトを備えた歯科用ユニットの提供を目的とする。
【課題を解決するための手段】
【０００８】
上記目的を達成するため、本発明の歯科用ユニットに係る請求項１は、光源のキセノンランプを備えた光源部と、この光源部を内蔵するユニット本体と、前記光源部からの照射光をライトヘッド部に導光する光ファイバー部と、この光ファイバー部を介して導光された、前記光源部からの照射光を少なくとも３分割しつつ照射部位を照射することができるようにしたライトヘッド部と、このライトヘッド部を水平方向および垂直方向に移動静止可能な支持部を備えたことを特徴とする。
【０００９】
請求項１によれば、光源部に用いるキセノンランプの光は明るさや光色等に優れた性能を有して物の視認性がよいので歯科医等の医師の疲労を軽減することができる。
【００１０】
また、ユニット本体に内蔵したキセノンランプの光をファイバーケーブルを介して所要の照射部位に容易に導光することができるので、患者の顔面上にライトヘッド部のみを配置し、治療スペースの省スペース化を計ることができるとともにファイバー束を分岐することにより１個のキセノンランプにて少なくとも３箇所の出射部から光を口腔内に効率よく照射することができ、特に中心部の出射部により口腔内の奥まで入光が可能となる。また各治療部においては、ライトヘッド部にて少なくとも３分岐された光の照射野を相互に重合させるように出射方向を設定することにより無影効果を生じさせることが可能となる。
【発明の効果】
【００１１】
本発明によれば、光源部のキセノンランプからの照射は光ファイバー部を介してライトヘッド部により所要の治療部に導入することができるので、患者の顔面上にはライトヘッド部のみが配置され、従来例のように顔面上に配置されるハロゲン球の破損により患者を傷つける恐れが無く、安全性を確保することができる。また、顔面上に光源のキセノンランプを配置せず光源部を治療のじゃまにならないユニット本体に内臓しておくことにより、治療場所の省スペース化を計ることができる。さらに、ハロゲン球は、フィラメントを発光体としているので、治療場所を照射する所に移動させる際に生じる振動により、その寿命を短くするものであるが、キセノンランプであると電球寿命はハロゲン球に比べて約１０倍長く使用でき、更に反射ミラーを用いないのでライトヘッド部が小さく軽い構成となり操作性の向上や、コストの低減が可能となる。
【００１２】
また、歯科用ユニットの光源にキセノンランプを用いることにより、明るさや光色に優れたキセノンランプの光にて治療部を明瞭に照射することができ、審美歯科に用いることができるとともに、歯科医等の医師の疲労を軽減することができる。
【００１３】
さらに、治療部に対してキセノンランプの光を少なくとも３分割して照射して照射部における照射野を重合させることにより１つの円形照射野を大きくしたり楕円形にしたりすることなく照射野を左右に拡大することが可能となる。
【００１４】
そして、３灯照射における中心の照射野にて術部を直接に照射し、他の２灯にて左右方向から照射することにより照射野にて無影効果を得ることが可能となる。またこの３灯により照射野が左右に拡大されるので患者の口腔を診療中に左右に振り向けても治療部が照射野から外れることがない。
【発明を実施するための最良の形態】
【００１５】
座位診療で照射光の光源を患者の顔面上に配置しないという目的を、ユニット本体に光源を収納し、光ファイバーにより導光したライトヘッド部のみを顔面上に位置させるようにした。
【実施例１】
【００１６】
以下、本発明の実施例１を図１から図９を用いて説明する。
図１から図９は本発明の実施例１に係り、図１は歯科用ユニットの全体を示す斜視図、図２は歯科用ユニットのユニット本体を一部破断して示す斜視図、図３は光源部とファイバーケーブルの連結部の断面図、図４は光源部とライトヘッドを示す斜視図、図５はライトヘッドの光出射部を示す斜視図、図６は光出射部の断面図、図７はライトヘッドのレンズ配置の例を示す概略図、図８は３灯並行照射を示す説明図、図９は３灯クロス照射を示す説明図である。
【００１７】
本発明の歯科用ユニットは、図１および図２に示すように、ユニット本体１内に光源としてキセノンランプ１６を設けた光源部２が配置されており、このキセノンランプ１６の光は光ファイバー３を介してライトヘッド４に導光されるようになっている。ユニット本体１には、ライトポール５が立設され、このライトポール５の先端（上端）には第１アーム６がライトポール５を中心にして水平方向に可動し得るように取り付けられており、第１アーム６の先端には第２アーム７が第１アーム６を中心にして上下方向へ回動可能に取り付けられている。なお、ライトポール５、第１アーム６および第２アーム７はライトヘッド４の支持部材として機能する。第２アーム７の先端にはライトヘッド４が取りつけられ、第１アーム６の水平方向への移動と第２アーム７の上下方向への回動によりライトヘッド４は任意の最適な位置へ移動して、光源部２のキセノンランプ１６からの光を患者に照射できるようになっている。なお、ヘッドライト４と第２アーム７とは先端の重量とバランスが取られており、移動したどの位置にでも静止し移動しないようになっている。なお、図１中の符号９は歯科治療椅子である。
【００１８】
ユニット本体１に内蔵した光源部２は、図３に示すように、光源ケース１５内にキセノンランプ１６と赤外線吸収パイレックス（登録商標）製集光ミラー１７を組み合わせて構成され、このキセノンランプ１６から発生する光は外部に漏れないように光源ケース１５とともにユニット本体１にて隔離され患者や術者に害が及ばないようになっている。このキセノンランプ１６の光は太陽光に近い色温度５．４００Ｋ（ケルビン）を有し、人間の網膜機能の波長域にて物体を視認することが容易な性質を有すると同時に、この光の電磁波は人体に影響を及ぼす冷光光線である。
【００１９】
キセノンランプ１６から発生した光は、図３に示す集光ミラー１７にて反射され、光源ケース１５の開口部の焦点レンズ１５ａを介して、当該焦点レンズ１５ａの外側に位置して取付けられたファイバーケーブル２３との連結部であるコンダクター受け２１にコンダクター２２を介して接続された光ファイバー３としてのファイバーケーブル２３に導入される。
【００２０】
ファイバーケーブル２３はグラスファイバー束２３ａとその外周を覆うカバーチューブ２３ｂとからなり、集光ミラー１７はミラー押さえ１７ａとミラー受け１７ｂとにより支えられ、ネジ２４にて固定されている。高圧発生器１９はミラー受け１７ｂの面に４本の支柱２５にて固定され、キセノンランプ１６は高圧発生器１９に電球取付板２６及び電球保持部２７を介して固定され、集光ミラー１７を貫通してその前方に突出させている。更に、光源ケース１５の後端には内部の熱を外に放出するファン２８が設けられている。
【００２１】
光源部２のコンダクター２２に接続されユニット本体１から出されたファイバーケーブル２３は、図１に示すように、ライトポール５、第１アーム６および第２アーム７のそれぞれの外側に取りつけられ、フレキシブルチューブ１１を経てライトヘッド４に連結され、光源部２のキセノンランプ１６により発生した光はこのファイバーケーブル２３を介してライトヘッド４に伝送される。ファイバーケーブル２３は、第１アーム６および第２アーム７に露出して取りつけても良く、また直線部分は図１に示すように第１アーム６および第２アーム１０に取りつけたカバー８で覆てっも良い。また、ファイバーケーブル２３は、ライトポール３、第１アーム６および第２アーム１０の中を通しても良いが、現在、光ファイバーは直角に折り曲げることは不可能であるため、ライトポール３と第１アーム６および第１アーム６と第２アーム１０の間においては、ファイバーケーブル２３を外に出して光ファイバー３に無理をさせないことが大切である。
【００２２】
ライトヘッド４には、図４に示すように光出射部１４が３箇所等配に所定の間隔を保って設けられており、この光出射部１４ａ，１４ｂ，１４ｃのそれぞれには図５に示すようにフレキシブルチューブ１１を介してライトヘッド４に導入されるファイバーケーブル２３の端部を３分割した３分岐光ファイバーケーブル２３ｃ，２３ｄ，２３ｅが連結されることにより、それぞれ光源部２に接続されている。各光出射部１４の構成は、図６に示すようにファイバーケーブル２３の各３分岐光ファイバーケーブル２３ｃ，２３ｄ，２３ｅがコンダクター２９を介して第１レンズ３０の保持筒３１にネジ３２にて固定され、保持筒３１は第２レンズ３３の保持筒３４にネジ３６にて固定されている。この保持筒３４すなわち第２レンズ３３は、図７に示すように、ピッチｐを大きく取ることで無影効果は大となる。
【００２３】
すなわち、光出射部１４は３箇所等配されており、光を出射する中心部が存在するため、口唇で袋状になっている口腔内であっても、その奥まで入光させることができるとともに、ヘッドライト４の光量の７０％を照射することができる。
【００２４】
以上の構成において、図８に示すように３本の光出射部１４ａ，１４ｂ，１４ｃの相互間を５０ｍｍ、光出射部から照射部までの距離を６００ｍｍに保ち、それぞれの位置にて出射する光の方向を平行に保つ３灯並行照射にした場合には、２０，０００Ｌｘ以上の照度が得られると共に、出射された光の照射部位におけるそれぞれの円形照射野３５が斜線にて示す略半径の範囲にて重合した状態となり、無影効果が得られる。
【００２５】
また図９に示すように、光出射部１４ａ，１４ｂ，１４ｃの相互間を５０ｍｍ、光出射部から照射部までの距離を６００ｍｍに保ち、それぞれの位置からの出射光が中間の３５０ｍｍ，２５０ｍｍの位置にて交差する方向に照射する３灯クロス照射にした場合には、前記と同様に２０，０００Ｌｘ以上の照度が得られと共に、各光出射部１４ａ，１４ｂ，１４ｃから出射された光の照射部位におけるそれぞれの円形照射野３５が前記と同様に斜線にて示す略半径の範囲にて重合した状態となり、無影効果が得られる。
【００２６】
なお、前記３灯並行照射と３灯クロス照射における照射野の重合は照射野相互間の略半径の範囲が好ましい。また並行照射とクロス照射とを比較した場合に、無影効果に大差はないが照射する対照物により選択されるべきものと思われる。
【図面の簡単な説明】
【００２７】
【図１】本発明の実施例１に係る歯科用ユニットの全体を示す斜視図である。
【図２】ユニット本体を一部破断して示す斜視図である。
【図３】光源部の断面図である。
【図４】光源部からライトヘッドに至る部分を示す斜視図である。
【図５】ライトヘッドの光出射部を示す斜視図である。
【図６】光出射部の断面図である。
【図７】ライトヘッドのレンズ配置の例を示す概略図である。
【図８】３灯並行照射を示す図である。
【図９】３灯クロス照射を示す図である。
【図１０】従来の歯科用ユニットに備えた照明灯の説明図である。
【図１１】反射ミラーの作用説明図である。
【図１２】反射ミラーの斜視図である。
【符号の説明】
【００２８】
１  ユニット本体
２  光源部
３  光ファイバー
４  ライトヘッド
５  ライトポール
６  第１アーム
７  第２アーム
８  カバー
９  歯科治療椅子
１１  フレキシブルチューブ
１４  光出射部
１５  光源ケース
１６  キセノンランプ
１７  集光ミラー
２１  コンダクター受け
２２，２９  コンダクター
２３  ファイバーケーブル
２４，３２．３６  ネジ
２５  支柱
２６  電球取付板
２７  電球保持部
２８  ファン
３０  第１レンズ
３１，３４  保持筒
３３  第２レンズ
３５  円形照射野
【図１】
2005192860.tif 000003
【図２】
2005192860.tif 000004
【図３】
2005192860.tif 000005
【図４】
2005192860.tif 000006
【図５】
2005192860.tif 000007
【図６】
2005192860.tif 000008
【図７】
2005192860.tif 000009
【図８】
2005192860.tif 000010
【図９】
2005192860.tif 000011
【図１０】
2005192860.tif 000012
【図１１】
2005192860.tif 000013
【図１２】
2005192860.tif 000014